(57)【要約】【課題】  掘り下げ部を効果的に空調する。【解決手段】  居室空間の底面を構成する床７を具えた住宅Ｈｓである。床７は、基準床部７Ａと、基準床部７Ａよりも低い床面７Ｂｓを有する掘り下げ部７Ｂとを有する。掘り下げ部７Ｂには、空調された空気が供給される少なくとも一つの第１吹出口９が設けられている。【選択図】図２
2017015293.tif 000002
【特許請求の範囲】
【請求項１】
居室空間の底面を構成する床を具えた住宅であって、
前記床は、基準床部と、前記基準床部よりも低い床面を有する掘り下げ部とを有し、
前記掘り下げ部には、空調された空気が供給される少なくとも一つの第１吹出口が設けられていることを特徴とする住宅。
【請求項２】
前記床の下側には、床下空間が形成されており、前記床下空間には、前記掘り下げ部を囲む断熱材が配されている請求項１記載の住宅。
【請求項３】
前記掘り下げ部と前記断熱材との間には、一端が前記第１吹出口に連通しかつ他端が前記断熱材の外部に連通する第１空気流路が形成されており、
前記空調された空気は、前記第１空気流路を通る請求項２記載の住宅。
【請求項４】
前記掘り下げ部は、底板部と、前記底板部と前記基準床部とをつなぐ周囲壁部とを含み、前記第１吹出口は、前記周囲壁部に設けられている請求項１乃至３のいずれかに記載の住宅。
【請求項５】
前記居室空間には、前記掘り下げ部とは異なる位置に、空調された空気に外気を混合させた換気・空調空気が供給される第２吹出口が設けられている請求項１乃至４のいずれかに記載の住宅。
【請求項６】
前記第１吹出口及び前記第２吹出口に供給される空調された空気は、少なくとも１台の空気調和機を含む一つの熱源で生成されたものである請求項５記載の住宅。
【請求項７】
前記第１吹出口には、前記熱源で空調された空気が、前記外気と混合させることなく供給される請求項６に記載の住宅。
【請求項８】
前記第１吹出口には、前記熱源で空調された空気に、前記第２吹出口よりも小さい割合で前記外気を混合した換気・空調空気が供給される請求項６記載の住宅。
【発明の詳細な説明】
【技術分野】
【０００１】
本発明は、床の一部が凹まされた掘り下げ部を有する住宅に関する。
【背景技術】
【０００２】
下記特許文献１は、家屋床面と、家屋床面よりも低い掘り下げ部とを具えた住宅が提案されている。このような掘り下げ部は、家屋床面に比べて、天井までの高さを大きくできるため、居住者に開放感を与えることができる。また、掘り下げ部は、居室空間に特別な「巣」のような空間を提供し、例えば、居住者がそこで安心感やくつろぎ感を得るという特別な効果が期待されている。
【先行技術文献】
【特許文献】
【０００３】
【特許文献１】特開２０１４−１９００２９号公報
【発明の概要】
【発明が解決しようとする課題】
【０００４】
ところで、掘り下げ部は、家屋床面から部分的に凹んでいる。このため、例えば、冬季において、居室空間が暖房空調された場合でも、掘り下げ部に冷気が滞留しやすく、足元が肌寒く感じるという問題があった。
【０００５】
本発明は、以上のような実状に鑑み案出されたもので、掘り下げ部を効果的に空調することができる住宅を提供することを主たる目的としている。
【課題を解決するための手段】
【０００６】
本発明は、居室空間の底面を構成する床を具えた住宅であって、前記床は、基準床部と、前記基準床部よりも低い床面を有する掘り下げ部とを有し、前記掘り下げ部には、空調された空気が供給される少なくとも一つの第１吹出口が設けられていることを特徴とする。
【０００７】
本発明に係る前記住宅において、前記床の下側には、床下空間が形成されており、前記床下空間には、前記掘り下げ部を囲む断熱材が配されているのが望ましい。
【０００８】
本発明に係る前記住宅において、前記掘り下げ部と前記断熱材との間には、一端が前記第１吹出口に連通しかつ他端が前記断熱材の外部に連通する第１空気流路が形成されており、前記空調された空気は、前記第１空気流路を通るのが望ましい。
【０００９】
本発明に係る前記住宅において、前記掘り下げ部は、底板部と、前記底板部と前記基準床部とをつなぐ周囲壁部とを含み、前記第１吹出口は、前記周囲壁部に設けられているのが望ましい。
【００１０】
本発明に係る前記住宅において、前記居室空間には、前記掘り下げ部とは異なる位置に、空調された空気に外気を混合させた換気・空調空気が供給される第２吹出口が設けられているのが望ましい。
【００１１】
本発明に係る前記住宅において、前記第１吹出口及び前記第２吹出口に供給される空調された空気は、少なくとも１台の空気調和機を含む一つの熱源で生成されたものであるのが望ましい。
【００１２】
本発明に係る前記住宅において、前記第１吹出口には、前記熱源で空調された空気が、前記外気と混合させることなく供給されるのが望ましい。
【００１３】
本発明に係る前記住宅において、前記第１吹出口には、前記熱源で空調された空気に、前記第２吹出口よりも小さい割合で前記外気を混合した換気・空調空気が供給されるのが望ましい。
【発明の効果】
【００１４】
本発明の住宅は、居室空間の底面を構成する床を具える。床は、基準床部と、基準床部よりも低い床面を有する掘り下げ部とを有する。このような掘り下げ部は、居住者に開放感や安心感を与えることができる。
【００１５】
本発明の掘り下げ部に、空調された空気が吹き出される少なくとも一つの第１吹出口が設けられている。これにより、本発明の住宅は、掘り下げ部を集中的に空調することができる。従って、本発明の住宅は、例えば、冬季において、高温に空調された空気が掘り下げ部に供給される場合、掘り下げ部に冷気が滞留するのを防ぐことができる。
【００１６】
掘り下げ部は、基準床部から部分的に凹んでいるため、第１吹出口から供給される空調された空気を溜めることができる。例えば、冬季において、高温に空調された空気が掘り下げ部に供給される場合には、掘り下げ部内の居住者の冷えた下半身を、効果的に暖めることができる。また、夏季において、低温に空調された空気が掘り下げ部に供給される場合には、掘り下げ部内の居住者の火照った下半身を、効果的に冷やすことができる。従って、本発明の住宅は、掘り下げ部内の居住者の快適性を高めることができる。
【図面の簡単な説明】
【００１７】
【図１】本発明の住宅の一実施形態を示す概念断面図である。
【図２】図１の掘り下げ部の拡大断面図である
【図３】図２のＡ−Ａ断面図である。
【図４】図１のメインチャンバー、第１チャンバー及び第２チャンバーの拡大断面図である。
【図５】（ａ）は、実施例１の居室空間の温度分布を示す図、（ｂ）は、比較例１の居室空間の温度分布を示す図、（ｃ）は、比較例２の居室空間の温度分布を示す図である。
【図６】（ａ）は、実施例１の掘り下げ部からの高さと、室温との関係を示すグラフ、（ｂ）は、比較例１の基準床部からの高さと、室温との関係を示すグラフ、（ｃ）は、比較例２の掘り下げ部からの高さと、室温との関係を示すグラフである。
【図７】（ａ）は、実施例２の居室空間に入室した被験者の皮膚温と、滞在時間との関係を示すグラフ、（ｂ）は、比較例３の居室空間に入室した被験者の皮膚温と、滞在時間との関係を示すグラフ、（ｃ）は、比較例４の居室空間に入室した被験者の皮膚温と、滞在時間との関係を示すグラフである。
【図８】（ａ）は、実施例２の居室空間に入室した被験者の皮膚温の分布を示す図、（ｂ）は、比較例３の居室空間に入室した被験者の皮膚温の分布を示す図、（ｃ）は、比較例４の居室空間に入室した被験者の皮膚温の分布を示す図である。
【発明を実施するための形態】
【００１８】
以下、本発明の実施の一形態が図面に基づき説明される。
図１には、本発明の住宅Ｈｓの一実施形態を示す断面図が概念的に示されている。本実施形態の住宅Ｈｓは、例えば、優れた断熱性能、遮光性能及び気密性能を具えた工業化住宅として構成されている。なお、住宅Ｈｓは、工業化住宅に限定されるわけではない。
【００１９】
本実施形態の住宅Ｈｓは、床７の下側に形成された床下空間３と、床７の上側に形成された床上空間４とを含んで構成されている。
【００２０】
床下空間３は、基礎５と地面６と床７とで囲まれた非居住空間である。床下空間３の地面６は、例えば、土間コンクリート等で仕上げられているのが望ましい。基礎５には、基礎給気口５Ａが設けられている。基礎給気口５Ａは、基礎５の立ち上がり部に設けられた一つの開口である。この基礎給気口５Ａを介して、新鮮な外気が、床下空間３に取り込まれる。床下空間３に積極的に外気を導入するために、例えば、基礎給気口５Ａの近傍に、基礎給気ファン５Ｂが設けられても良い。
【００２１】
床下空間３に供給された外気は、例えば、床下空間３の地面６を介して、地冷熱と熱交換する。これにより、床下空間３の空気は、例えば、夏季では外気よりも低く、冬季では外気よりも高い温度を有する。床下空間３の温度をより安定させるために、基礎５は、例えば、発泡樹脂等の断熱材（図示省略）により、外気から断熱されるのが望ましい。
【００２２】
床上空間４は、床７と、床７の上方に配置される天井１８と、土台（図示省略）の上に固定される外壁２５と、外壁２５、２５間に配置される間仕切り壁２６とで囲まれた居室空間４Ａ、４Ｂ及び４Ｃを含んでいる。なお、各居室空間４Ａ、４Ｂ及び４Ｃの間取り等は、あくまで一つの形態であり、このような形態に限定されるものではない。
【００２３】
床７は、居室空間（本実施形態では、１階の居室空間４Ａ）の底面を構成している。本実施形態の床７は、基準床部７Ａと、掘り下げ部７Ｂとを有している。図２は、図１の掘り下げ部の拡大断面図である。図３は、図２のＡ−Ａ断面図である。
【００２４】
図１及び図２に示されるように、本実施形態の基準床部７Ａは、１階の居室空間４Ａの床７の大部分を占めている。基準床部７Ａの床面７Ａｓは、住宅Ｈｓの１階部分の通常の高さＨ１（図２に示す）に設定されている。通常の高さＨ１は、例えば、地面６から４００〜７００mm程度に設定されるが、このような寸法に限定されない。本実施形態の基準床部７Ａは、例えば、地面６から上方に突出する第１束４１ａ、及び、第１束４１ａの上端に固定される第１大引き４２ａを介して支持されている。
【００２５】
掘り下げ部７Ｂは、基準床部７Ａの床面７Ａｓよりも低い床面７Ｂｓを有しており、基準床部７Ａに隣接して設けられている。従って、掘り下げ部７Ｂは、基準床部７Ａから床下空間３側（即ち、下方）に突出している。本実施形態の掘り下げ部７Ｂは、底板部４３と、底板部４３と基準床部７Ａとをつなぐ周囲壁部４４とを含んで構成されている。
【００２６】
図３に示されるように、本実施形態の底板部４３は、例えば、平面視略矩形状に形成されており、３〜６畳程度の広さを有している。なお、底板部４３の形状及び広さは、このような態様に限定されない。図２に示されるように、底板部４３は、基準床部７Ａを支持する第１束４１ａよりも小長さで突出する第２束４１ｂ、及び、第２束４１ｂの上端に固定される第２大引き４２ｂを介して支持されている。これにより、底板部４３は、基準床部７Ａよりも下方に配置され、掘り下げ部７Ｂの床面７Ｂｓが形成される。本実施形態の掘り下げ部７Ｂの床面７Ｂｓの高さＨ２は、例えば、地面６から２００〜３００mm程度に設定されているが、このような寸法に限定されない。
【００２７】
本実施形態の周囲壁部４４は、底板部４３と基準床部７Ａとの間をのびる板状に形成された複数の壁片４４ｐで構成されている。図３に示されるように、本実施形態の各壁片４４ｐは、底板部４３の四辺に、隙間なく配置されている。
【００２８】
このような掘り下げ部７Ｂは、基準床部７Ａに比べて、天井１８（図１に示す）までの高さを大きくできるため、居住者に開放感を与えることができる。また、掘り下げ部７Ｂは、居室空間４Ａに、底板部４３と周囲壁部４４とで囲まれた特別な「巣」のような空間を提供する。従って、掘り下げ部７Ｂは、居住者に、安心感やくつろぎ感を与えることができる。
【００２９】
本実施形態の掘り下げ部７Ｂには、空調された空気Ａｃが供給される少なくとも１個、本実施形態では、複数個の第１吹出口９が設けられている。第１吹出口９に供給される空調された空気Ａｃは、図１に示されるように、少なくとも１台、本実施形態では１台の空気調和機８を含む一つの熱源Ｓで生成される。なお、複数の空気調和機８で一つの熱源Ｓを構成する場合は、各空気調和機８で得られる熱エネルギーが、例えば、チャンバーやダクト等の手段によって実質的に集約されて利用される。
【００３０】
図２及び図３に示されるように、本実施形態の第１吹出口９は、掘り下げ部７Ｂの周囲壁部４４に設けられている。また、第１吹出口９は、正面視円形状に形成されているが、このような態様に限定されるわけではない。例えば、第１吹出口９は、周囲壁部４４に沿って水平にのびるライン状に形成されてもよい。また、第１吹出口９には、例えば、カバー２１で覆われてもよい。さらに、各第１吹出口９には、例えば、各吹出口の有効開口面積を変化させることで、通過する風量を調節可能なダンパー（図書省略）が設けられてもよい。
【００３１】
第１吹出口９は、第１流路１１を介して、熱源Ｓ（図１に示す）に接続されている。本実施形態の第１吹出口９には、熱源Ｓで空調された空気Ａｃが、外気と混合させることなく供給される。
【００３２】
図１に示されるように、第１流路１１は、例えば、メインチャンバー１３、第１チャンバー１４、及び、第１ダクト１５を含んで構成されている。図４は、図１のメインチャンバー１３、第１チャンバー１４及び第２チャンバー１６の拡大断面図である。図４に示されるように、本実施形態のメインチャンバー１３は、内部に空間を有する略箱体状であり、例えば、床下空間３に配置されている。
【００３３】
メインチャンバー１３には、熱源Ｓを構成する空気調和機８が収納されている。本実施形態の空気調和機８は、一般的な家庭用のセパレート型エアコンである。空気調和機８の室内機は、メインチャンバー１３に配置されている。空気調和機８は、空気を吸い込む吸気部８ａと、内部で冷媒と熱交換された空気を排気する排気部８ｂとを有している。従って、空気調和機８を運転することにより、メインチャンバー１３には、所望の温度に調節された空気で満たされる。空気調和機８の室外機（図示省略）は、例えば、住宅Ｈｓの外部に設置されている。なお、一つの熱源Ｓを構成するために複数台の空気調和機８が用いられる場合、全ての空気調和機８は、このメインチャンバー１３内に収納されるのが望ましい。
【００３４】
メインチャンバー１３は、さらに、居室空間４Ａ乃至４Ｃ（図１に示す）のいずれかの室内空気を空気調和機８に供給するための内気導入口２３と、空気調和機８で調節された空気を排出するための排気口２４とを有している。
【００３５】
内気導入口２３は、メインチャンバー１３の上壁部２０に、例えば、吸い込みグリルとして設けられている。これにより、本実施形態では、居室空間４Ａの空気が、内気導入口２３を介して、空気調和機８の吸気部８ａへと供給される。排気口２４は、例えば、第１排気口２４ａと、第２排気口２４ｂとを含んでいる。これらは、それぞれ離れて設けられている。第１流路１１（図１に示す）は、第１排気口２４ａが利用される。第２排気口２４ｂは、後述する第２流路１２（図１に示す）に利用される。
【００３６】
第１チャンバー１４は、メインチャンバー１３の下流側に設けられている。本実施形態の第１チャンバー１４は、内部に空間を区画する略箱体状であり、床下空間３に配置されている。第１チャンバー１４は、第１空調空気導入口２７と、第１排出口２９とを有している。
【００３７】
第１空調空気導入口２７は、メインチャンバー１３内の空調された空気Ａｃを第１チャンバー１４内に導入するための開口である。本実施形態の第１空調空気導入口２７は、メインチャンバー１３の第１排気口２４ａと連通する位置に設けられている。第１排出口２９は、第１チャンバー１４内の空調された空気Ａｃ（図１に示す）を、外部に排出するための開口である。この第１排出口２９には、第１ダクト１５が連通している。
【００３８】
図１及び図４に示されるように、第１ダクト１５の一端１５ｉは、第１チャンバー１４の第１排出口２９に接続されている。また、第１ダクト１５の他端１５ｏは、後述する第１空気流路４５（図２及び図３に示す）を介して、各第１吹出口９に接続されている。
【００３９】
図１に示されるように、本実施形態では、第１ダクト１５の途中に、空気浄化装置３３と、第１ダクト１５内の空気を掘り下げ部７Ｂ側に送るための給気用の第１ファン３４とが設けられている。空気浄化装置３３は、例えば、第１ファン３４の上流側に設けられ、花粉、微粒子状物質及び塵埃等を除去するフィルタを具えている。第１ファン３４は、第１ダクト１５の一端１５ｉから他端１５ｏ（図２に示す）に向かう強制的な空気の流れを生成する。
【００４０】
本実施形態の住宅Ｈｓでは、空気調和機８及び第１ファン３４を運転させることにより、第１流路１１、第１空気流路４５（図２に示す）、及び、第１吹出口９を介して、熱源Ｓで空調された空気Ａｃを、掘り下げ部７Ｂに供給することができる。このような空調された空気Ａｃにより、掘り下げ部７Ｂが集中的に空調されるため、例えば、冬季において、暖房空調された空気Ａｃが供給される場合、掘り下げ部７Ｂ内に滞留しがちな冷気を排出することができる。これにより、掘り下げ部７Ｂにおいて、足元が肌寒く感じるのを防ぐことができる。
【００４１】
掘り下げ部７Ｂは、基準床部７Ａから部分的に凹んでいるため、第１吹出口９から供給される空調された空気Ａｃを溜めることができる。従って、冬季において、暖房空調された空気Ａｃが第１吹出口９から供給される場合、掘り下げ部７Ｂ内に、暖房空調された空気Ａｃを溜めることができる。これにより、掘り下げ部７Ｂは、居住者の冷えた下半身を、積極的に暖めることができる。また、夏季において、冷房空調された空気Ａｃが第１吹出口９から供給される場合、掘り下げ部７Ｂ内に、冷房空調された空気Ａｃを溜めることができる。これにより、掘り下げ部７Ｂは、居住者の火照った下半身を、積極的に冷やすことができる。
【００４２】
このように、本実施形態の住宅Ｈｓは、掘り下げ部７Ｂに供給された空調された空気Ａｃにより、居住者の快適性を高めることができる。上述したように、本実施形態では、第１吹出口９に、熱源Ｓで空調された空気Ａｃが、外気と混合させることなく直接供給される。このため、掘り下げ部７Ｂは、高い空調効果を得ることができる。さらに、掘り下げ部７Ｂには、空気浄化装置３３によって浄化された空気が供給されるため、居住者の快適性をさらに高めることができる。
【００４３】
図２に示されるように、本実施形態の第１吹出口９は、周囲壁部４４に設けられているため、例えば、第１吹出口９が底板部４３に設けられる場合（図示省略）に比べて、空調された空気Ａｃを、掘り下げ部７Ｂ内に滞留させることができる。図３に示されるように、第１吹出口９は、周囲壁部４４の各壁片４４ｐに少なくとも１個、本実施形態では複数個配置されている。これらの第１吹出口９は、掘り下げ部７Ｂの周囲から、空調された空気Ａｃが万遍なく供給することができる。これにより、掘り下げ部７Ｂ内に、空調された空気Ａｃを効果的に滞留させることができるため、居住者の快適性をさらに高めることができる。
【００４４】
掘り下げ部７Ｂ内の空気（即ち、空調された空気Ａｃ）の温度変化を防ぐために、床下空間３には、掘り下げ部７Ｂを囲む断熱材４６が配されるのが望ましい。本実施形態の断熱材４６は、底板部４３の下方に配置される第１断熱材４６ａ（図２に示す）、及び、第１断熱材４６ａから立ち上がり、かつ、周囲壁部４４の外周に配置される第２断熱材４６ｂを含んで構成されている。
【００４５】
本実施形態の第１断熱材４６ａは、平面視略矩形の板状に形成されており、底板部４３を支持する第２束４１ｂを貫通させる孔部（図示省略）を有している。第１断熱材４６ａは、地面６に沿って配置されている。
【００４６】
図２に示されるように、本実施形態の第２断熱材４６ｂは、第１断熱材４６ａと基準床部７Ａとの間をのびる板状に形成された複数の断熱片４６ｐを含んで構成されている。図３に示されるように、本実施形態の第２断熱材４６ｂの断熱片４６ｐは、第１断熱材４６ａの四辺に隙間なく配置されている。
【００４７】
このような第１断熱材４６ａ及び第２断熱材４６ｂは、床下空間３において、掘り下げ部７Ｂを隙間なく囲むことができるため、床下空間３の熱が、掘り下げ部７Ｂに伝達されるのを防ぐことができる。従って、第１断熱材４６ａ及び第２断熱材４６ｂは、掘り下げ部７Ｂに供給された空調された空気Ａｃの温度変化を防いて、居住者の快適性を維持することができる。なお、第１断熱材４６ａ及び第２断熱材４６ｂには、例えば、耐熱性及び耐衝撃性に優れるポリスチレンフォーム、ウレタンフォーム、又は、フェノールフォーム等の板状体が採用されるのが望ましい。
【００４８】
本実施形態の第１断熱材４６ａは、底板部４３から離間して配置されている。さらに、本実施形態の第２断熱材４６ｂは、周囲壁部４４から離間して配置されている。これにより、掘り下げ部７Ｂと断熱材４６との間には、隙間４７が形成される。
【００４９】
隙間４７の一端は、第１吹出口９に連通している。隙間４７の他端は、第２断熱材４６ｂに設けられた少なくとも１個、本実施形態では２個設けられた孔部４８、４８を介して、断熱材４６の外部に連通している。各孔部４８、４８は、第１流路１１の第１ダクト１５の他端１５ｏがそれぞれ接続されている。従って、隙間４７は、空調された空気Ａｃを通す第１空気流路４５として構成される。
【００５０】
第１空気流路４５は、孔部４８から供給された空調された空気Ａｃを、複数個の第１吹出口９に分配して案内することができるため、例えば、各第１吹出口９に、第１流路１１の第１ダクト１５をそれぞれ接続する必要がない。このため、本実施形態の第１空気流路４５は、空調された空気Ａｃを供給するための構造を簡素化することができる。
【００５１】
第１空気流路４５は、掘り下げ部７Ｂと断熱材４６との間の隙間４７で形成されるため、床下空間３の熱が、空調された空気Ａｃに伝達されるのを防ぐことができる。このため、第１空気流路４５は、空調された空気Ａｃの熱を維持することができる。また、第１空気流路４５は、底板部４３及び周囲壁部４４に面しているため、空調された空気Ａｃの熱を、底板部４３及び周囲壁部４４を介して、掘り下げ部７Ｂに伝達することができる。従って、掘り下げ部７Ｂは、居住者の快適性を高めることができる。
【００５２】
本実施形態の各孔部４８、４８は、第２断熱材４６ｂの異なる断熱片４６ｐ、４６ｐにそれぞれ設けられている。これらの孔部４８、４８は、第１空気流路４５内に、空調された空気Ａｃを万遍なく行き渡らせることができるため、各第１吹出口９での吹き出し量の偏りを防ぐことができる。
【００５３】
図１に示されるように、本実施形態の住宅Ｈｓは、熱源Ｓで得られる熱エネルギーを用いて、掘り下げ部７Ｂの空調だけでなく、複数の居室空間４Ａ、４Ｂ及び４Ｃを空調可能な全館空調システムを有するのが望ましい。
【００５４】
本実施形態の各居室空間４Ａ、４Ｂ及び４Ｃには、第２吹出口１０が設けられている。第２吹出口１０は、第１吹出口９が設けられる掘り下げ部７Ｂとは異なる位置に設けられており、本実施形態では、各居室空間４Ａ、４Ｂ及び４Ｃの天井１８に設けられている。なお、第２吹出口１０の取り付け位置も、例示の態様に限定されるものではない。各居室空間４Ａ、４Ｂ及び４Ｃにおいて、第２吹出口１０の設置個数なども、特に限定されるものではなく、２以上設けられても良い。
【００５５】
第２吹出口１０には、空調された空気Ａｃを生成する一つの熱源Ｓに、第２流路１２を介して接続されている。本実施形態において、第２吹出口１０には、空調された空気に、外気を混合させた換気・空調空気Ａｖが供給される。
【００５６】
第２流路１２は、例えば、メインチャンバー１３、第２チャンバー１６、及び、第２ダクト１７を含んで構成されている。メインチャンバー１３については、先の説明のとおりである。
【００５７】
図４に示されるように、第２チャンバー１６は、メインチャンバー１３の下流側に設けられている。本実施形態の第２チャンバー１６は、第１チャンバー１４と略同様の構造であって、内部に空間を区画する略箱体状であり、床下空間３に配置されている。
【００５８】
本実施形態の第２チャンバー１６は、第２空調空気導入口３５と、第２外気導入口３８と、第２排出口３７とを有している。
【００５９】
第２空調空気導入口３５は、メインチャンバー１３内の空気調和機８で空調された空気Ａｃ（図１に示す）を第２チャンバー１６内に導入するための開口である。本実施形態では、第２空調空気導入口３５は、メインチャンバー１３の第２排気口２４ｂと連通する位置に設けられている。これにより、第２チャンバー１６内にも、空気調和機８で空調されたメインチャンバー１３内の空気が供給される。
【００６０】
第２外気導入口３８は、外気として、床下空間３の空気を第２チャンバー１６内に導入するための開口である。これにより、第２チャンバー１６内には、外気と、空気調和機８によって空調された空気Ａｃとが混合された換気・空調空気Ａｖが得られる。この第２外気導入口３８は、有効開口面積を変化させて、外気の量を調節するための第２開閉部３９が設けられている。これにより、第２チャンバー１６内に導入される外気の量が調節され、ひいては、換気・空調空気Ａｖ中の外気の混合割合を調節することができる。
【００６１】
第２排出口３７は、第２チャンバー１６内で混合された換気・空調空気Ａｖを、外部に排出するための開口である。この第２排出口３７には、第２ダクト１７が連通している。
【００６２】
図１及び図４に示されるように、第２ダクト１７の一端１７ｉは、第２チャンバー１６の第２排出口３７に接続されている。第２ダクト１７の他端１７ｏは、各居室空間４Ａ、４Ｂ又は４Ｃの各第２吹出口１０にそれぞれ接続されている。本実施形態の各第２吹出口１０には、有効開口面積を変化させることで、通過する風量を調節可能なダンパー１９が設けられている。さらに、本実施形態では、図１に示されるように、第２ダクト１７の途中に、前述の空気浄化装置３３と、空気を居室空間４Ａ側に送るための給気用の第２ファン３６とが設けられている。
【００６３】
本実施形態の住宅Ｈｓは、空気調和機８を運転させるとともに、第２ファン３６を運転することにより、第２チャンバー１６内の換気・空調空気Ａｖが、第２流路１２及び第２吹出口１０を介して、各居室空間４Ａ乃至４Ｃに供給される。これにより、各居室空間４Ａ、４Ｂ及び４Ｃは、それぞれ換気と空調とが同時に行われる。これと平行して、供給された外気の量に応じて、例えば、床上空間４の空気は、床上空間４に設けられた排気用のファン５０によって屋外へと排出される。これにより、床上空間４を効果的に換気することができる。
【００６４】
床下空間３の空気は、それ以外の外気に比べて、夏は低温であり、冬は高温である。従って、第２チャンバー１６の換気・空調空気Ａｖの外気として、床下空間３の空気を利用することで、空調された空気Ａｃの温度変化を最小限に抑えることができる。
【００６５】
上述したように、本実施形態では、掘り下げ部７Ｂの第１吹出口９に、熱源Ｓで空調された空気Ａｃが、外気と混合させることなく供給される。このため、第１吹出口９から吹き出される空気は、各居室空間４Ａ、４Ｂ又は４Ｃの第２吹出口１０から吹き出される空気（即ち、換気・空調空気Ａｖ）に比べて、より高い空調効果を提供することができる。
【００６６】
冬季の暖房空調時において、掘り下げ部７Ｂの第１吹出口９から吹き出される空気は、各居室空間４Ａ、４Ｂ又は４Ｃの第２吹出口１０から吹き出される空気よりも高い温度に調節され得る。従って、本実施形態のように、複数の居室空間４Ａ、４Ｂ及び４Ｃが暖房空調されていても、掘り下げ部７Ｂに冷気が滞留するのを防ぎつつ、掘り下げ部７Ｂにおいて、居住者の冷えた下半身を、積極的に暖めることができる。
【００６７】
同様に、夏季の冷房空調時において、掘り下げ部７Ｂの第１吹出口９から吹き出される空気は、各居室空間４Ａ、４Ｂ又は４Ｃの第２吹出口１０から吹き出される空気よりも低い温度に調節され得る。従って、本実施形態のように、複数の居室空間４Ａ、４Ｂ及び４Ｃが冷房空調されていても、掘り下げ部７Ｂにおいて、居住者の火照った下半身を、積極的に冷やすことができる。
【００６８】
図４に示されるように、本実施形態では、メインチャンバー１３の第２排気口２４ｂと、第２チャンバー１６の第２空調空気導入口３５との間に、開閉装置３０が設けられている。開閉装置３０は、第２チャンバー１６とメインチャンバー１３とを、相互に連通する連通状態、又は、遮断された遮断状態のいずれかに切り替えるためのものである。
【００６９】
このような開閉装置３０の連通状態では、上述したように、各居室空間４Ａ乃至４Ｃに、換気・空調空気Ａｖを供給することができる。また、開閉装置３０の遮断状態では、各居室空間４Ａ乃至４Ｃに外気のみが供給されるため、換気効率を高めることができる。さらに、遮蔽状態では、空気調和機８を積極的に使用するまでもない夏季又は冬季の初期段階において、床下空間３の空気を活用して、床上空間４の温度調節（少し冷やす又は少し暖める）ことが可能になるため、空調コストを低減することができる。
【００７０】
本実施形態では、掘り下げ部７Ｂの第１吹出口９に、熱源Ｓで空調された空気Ａｃが、外気と混合させることなく供給される例を示したが、このような態様に限定されるわけではない。例えば、第１吹出口９には、熱源Ｓで空調された空気Ａｃに、外気を混合した換気・空調空気が供給されてもよい。このような態様によれば、上述の効果を維持しながら、床上空間４の換気効率を高めることができる。
【００７１】
上述の機能を実現させるために、図４に示されるように、第１チャンバー１４には、例えば、第１外気導入口２８が設けられるのが望ましい。第１外気導入口２８は、外気として、床下空間３の空気を第１チャンバー１４内に導入するための開口である。
【００７２】
このような第１外気導入口２８により、第１チャンバー１４内には、外気（本実施形態では、地冷熱と熱交換された床下空間３の空気）と、空気調和機８によって空調された空気Ａｃとが混合された換気・空調空気が得られる。また、第１外気導入口２８には、有効開口面積を変化させて、外気の量を調節するための第１開閉部３２が設けられている。このような第１開閉部３２は、換気・空調空気中の外気の混合割合を調節するのに役立つ。
【００７３】
上述したように、床下空間３の空気は、屋外での外気に比べて、夏は低温であり、冬は高温である。従って、第１チャンバー１４の換気・空調空気の外気として、床下空間３の空気を利用することで、空調された空気Ａｃの温度変化を最小限に抑えることができる。
【００７４】
なお、冬季の暖房空調時において、第１吹出口９から吹き出される空気が、第２吹出口１０から供給される空気と同一温度、又は、やや低い温度であっても、第１吹出口９と、掘り下げ部７Ｂ内の居住者との距離が小さいため、居住者は、暖かさを感じることができる。同様に、夏季の冷房空調時において、第１吹出口９から吹き出される空気が、第２吹出口１０から供給される空気と同一温度、又は、やや高い温度であっても、掘り下げ部７Ｂ内の居住者は、冷たさを感じることができる。
【００７５】
また、第１吹出口９から吹き出される空気は、第２吹出口１０から吹き出される空気に比べて、居室空間４Ａ、４Ｂ及び４Ｃに拡散されずに、掘り下げ部７Ｂに滞留する。従って、冬季の暖房空調時において、第１吹出口９から吹き出される空気が、第２吹出口１０から供給される空気と同一温度、又は、やや低い温度であっても、掘り下げ部７Ｂに、居室空間４Ａ、４Ｂ及び４Ｃよりも暖かい空気を滞留させることができる。同様に、夏季の冷房空調時において、第１吹出口９から吹き出される空気が、第２吹出口１０から供給される空気と同一温度、又は、やや高い温度であっても、掘り下げ部７Ｂに、居室空間４Ａ、４Ｂ及び４Ｃよりも冷たい空気を滞留させることができる。
【００７６】
掘り下げ部７Ｂの第１吹出口９には、熱源Ｓで空調された空気Ａｃに、各居室空間４Ａ乃至４Ｃの第２吹出口１０よりも小さい割合で、外気を混合した換気・空調空気が供給されるのが望ましい。この場合、第１開閉部３２は、第１流路１１内を流れる空気の外気混合割合が、第２流路１２内を流れる空気の外気混合割合よりも小さくなるように、その開閉位置が調節される。これにより、第１吹出口９から吹き出される空気は、第２吹出口１０から吹き出される空気に比べて、より高い空調効果を提供することができるため、居室空間４Ａの換気効率を高めつつ、掘り下げ部７Ｂを効果的に空調することができる。
【００７７】
以上、本発明の特に好ましい実施形態について詳述したが、本発明は図示の実施形態に限定されることなく、種々の態様に変形して実施しうる。
【実施例】
【００７８】
［実施例Ａ］
図１に示した掘り下げ部を有する居室空間が、コンピュータで取り扱い可能なモデルとして、コンピュータに入力された（実施例１）。実施例１では、空調（暖房空調）された空気が、第１吹出口から掘り下げ部に供給される状態が計算された。さらに、実施例１では、空調（暖房空調）された空気が、第２吹出口から居室空間に供給される状態が計算された。
【００７９】
比較のために、図１に示した基本構造を有し、掘り下げ部を有しない居室空間が、コンピュータで取り扱い可能なモデルとして、コンピュータに入力された（比較例１）。比較例１では、空調（暖房空調）された空気が、第２吹出口から居室空間に供給される状態が計算された。
【００８０】
さらに、図１に示した掘り下げ部を有する居室空間が、コンピュータで取り扱い可能なモデルとして、コンピュータに入力された（比較例２）。比較例２では、実施例１のように、空調された空気が掘り下げ部に供給されることなく、掘り下げ部の底板部に床暖房が運転される状態が計算された。さらに、比較例２では、空調（暖房空調）された空気が、第２吹出口から居室空間に供給される状態が計算された。
【００８１】
そして、実施例１、比較例１及び比較例２について、居室空間の温度が計算（ＣＦＤ解析）された。共通仕様は、次のとおりである。
・ソフトウェア：ソフトウェアクレイドル社製の「熱流体解析ソフトウェア（ＳＴＲＥＡＭ）」
・プラン：居室空間の床面積：１３ｍ2
・基準床部の高さＨ１：５００mm
・掘り下げ部：
・床面積：７．５ｍ2
・掘り下げ部の高さＨ２：３００mm
・第１吹出口から供給される空調された空気の温度：３０℃
・第２吹出口から供給される空調された空気の温度：２０℃
・床暖房の温度：２５℃
【００８２】
図５（ａ）は、実施例１の居室空間の温度分布を示す図である。図５（ｂ）は、比較例１の居室空間の温度分布を示す図である。図５（ｃ）は、比較例２の居室空間の温度分布を示す図である。図６（ａ）は、実施例１の掘り下げ部からの高さと室温との関係を示すグラフである。図６（ｂ）は、比較例１の基準床部からの高さと室温との関係を示すグラフである。図６（ｃ）は、比較例２の掘り下げ部からの高さと室温との関係を示すグラフである。
【００８３】
テストの結果、実施例１では、居室空間において、掘り下げ部の空間全体の温度を相対的に大きくすることができた。従って、実施例１は、掘り下げ部に冷気が滞留するのを抑制でき、足元が肌寒く感じるのを防げることが確認できた。
【００８４】
他方、比較例１は、居室空間において、床面の温度が相対的に小さくなった。従って比較例は、床面に冷気が滞留しやすく、足元が肌寒く感じやすいことが確認できた。比較例２では、掘り下げ部の底板部の表面温度を相対的に大きくできたが、掘り下げ部の空間全体の温度を大きくできなかった。従って、比較例２は、掘り下げ部に冷気が滞留しやすく、足元が肌寒く感じやすいことが確認できた。
【００８５】
［実施例Ｂ］
図１に示した掘り下げ部を有する居室空間が製造された（実施例２）。実施例２では、空調（暖房空調）された空気が、第１吹出口から掘り下げ部に供給された。さらに、実施例２では、空調（暖房空調）された空気が、第２吹出口から居室空間に供給された。
【００８６】
比較のために、図１に示した基本構造を有し、掘り下げ部を有しない居室空間が製造された（比較例３）。比較例３では、空調（暖房空調）された空気が、第２吹出口から居室空間に供給された。
【００８７】
さらに、図１に示した掘り下げ部を有する居室空間が製造された（比較例４）。比較例４では、実施例２のように、空調された空気が掘り下げ部に供給されることなく、掘り下げ部の底板部に床暖房が運転された。さらに、比較例２では、空調（暖房空調）された空気が、第２吹出口から居室空間に供給された。共通仕様は、前述の実施例Ａのとおりである。
【００８８】
そして、実施例２、比較例３及び比較例４の居室空間に入室する前、及び、入出後において、被験者の皮膚温（下腿、足甲、及び、足裏）が、温度センサーを用いて測定された。図７（ａ）は、実施例２の居室空間に入室した被験者の皮膚温と、滞在時間との関係を示すグラフである。図７（ｂ）は、比較例３の居室空間に入室した被験者の皮膚温と、滞在時間との関係を示すグラフである。図７（ｃ）は、比較例４の居室空間に入室した被験者の皮膚温と、滞在時間との関係を示すグラフである。なお、図７（ａ）〜（ｃ）のグラフにおいて、滞在時間が０分未満では、居室空間に入室する前の被験者の皮膚温を示している。
【００８９】
さらに、実施例２、比較例３及び比較例４の居室空間に入室して６０分後に、被験者の皮膚温（下腿、及び、足甲）が、赤外線サーモグラフィを用いて測定された。図８（ａ）は、実施例２の居室空間に入室した被験者の皮膚温の分布を示す図である。図８（ｂ）は、比較例３の居室空間に入室した被験者の皮膚温の分布を示す図である。図８（ｃ）は、比較例４の居室空間に入室した被験者の皮膚温の分布を示す図である。
【００９０】
テストの結果、図７（ａ）〜（ｃ）、及び、図８（ａ）〜（ｃ）に示されるように、実施例２は、比較例３及び比較例４に比べて、被験者の下腿、足甲、及び、足裏の皮膚温を高めることができた。しかも、実施例２は、被験者の下腿、足甲、及び、足裏の全ての皮膚温が、入室後６０分後も上昇し続けた。他方、比較例４では、被験者の足裏の皮膚温が、床暖房の運転によって継続して上昇したが、被験者の下腿、及び、足甲の皮膚温が一定又はやや下降した。従って、実施例２は、掘り下げ部を効果的に空調して、被験者の下腿、足甲、及び、足裏の全てを効果的に暖めることができ、居住者の快適性を高めることができた。
【符号の説明】
【００９１】
７      床
７Ａ    基準床部
７Ｂ    掘り下げ部
９      第１吹出口
【図１】
2017015293.tif 000003
【図２】
2017015293.tif 000004
【図３】
2017015293.tif 000005
【図４】
2017015293.tif 000006
【図６】
2017015293.tif 000007
【図７】
2017015293.tif 000008
【図５】
2017015293.tif 000009
【図８】
2017015293.tif 000010